(57)【要約】【課題】貨幣の収納を行う収納部の個数を貨幣処理機の運用形態に応じて容易に変更することができる貨幣処理機を提供する。【解決手段】貨幣処理機は、開口ユニット１０と、識別ユニット４０と、収納ユニット５０と、搬送ユニット２０〜３２と、を備え、開口ユニット１０、識別ユニット４０、収納ユニット５０および搬送ユニット２０〜３２は、各々、他のユニットに対して着脱自在となっている。このような貨幣処理機において、収納ユニット５０の数および配置状態を自在に設定することができるとともに収納ユニット５０の増設が可能となっており、収納ユニット５０の数および配置状態に応じて搬送ユニット２０〜３２の数および配置状態が決められるようになっている。【選択図】図１
2011186748.tif 000002
【特許請求の範囲】
【請求項１】
貨幣の投入および／または投出を行うための開口が設けられた開口ユニットと、
貨幣の搬送を行う搬送部および当該搬送部に設けられ貨幣の識別を行う識別部を有する識別ユニットと、
貨幣の収納を行う収納部を各々が有する、１または複数の収納ユニットと、
貨幣の搬送を行う搬送部を各々が有する、１または複数の搬送ユニットと、
を備え、
前記開口ユニット、前記識別ユニット、前記収納ユニットおよび前記搬送ユニットは、各々、他のユニットに対して着脱自在となっており、
前記収納ユニットの数および配置状態を自在に設定することができるとともに前記収納ユニットの増設が可能となっており、前記収納ユニットの数および配置状態に応じて前記搬送ユニットの数および配置状態が決められるようになっていることを特徴とする貨幣処理機。
【請求項２】
前記１または複数の収納ユニットのうち少なくとも１つの収納ユニットは貨幣の搬送を行う搬送部も有しており、当該収納ユニットの搬送部は、他の収納ユニットの搬送部または前記搬送ユニットの搬送部との間で貨幣の受け渡しを行うことができるようになっていることを特徴とする請求項１記載の貨幣処理機。
【請求項３】
前記開口ユニット、前記識別ユニット、前記収納ユニットおよび前記搬送ユニットの制御を行う制御部を更に備え、
前記制御部は、前記開口ユニットの開口を介して投入された貨幣を前記収納ユニットに収納する入金モード、前記収納ユニットに収納された貨幣を前記開口ユニットの開口を介して投出する出金モード、ならびに前記入金モードおよび前記出金モードの両方を行う入出金モードのうち一のモードを選択して貨幣を処理するよう制御を行うことを特徴とする請求項１または２記載の貨幣処理機。
【請求項４】
前記開口ユニット、前記識別ユニット、前記収納ユニットおよび前記搬送ユニットには、各々、他のユニットと電気的に接続するための電気的接続部材が設けられており、前記電気的接続部材を介してユニット間の電気的な接続が行われ当該ユニット間で電力の伝達を行うことができるようになっていることを特徴とする請求項１乃至３のいずれか一項に記載の貨幣処理機。
【請求項５】
前記開口ユニット、前記識別ユニット、前記収納ユニットおよび前記搬送ユニットには、各々、他のユニットと信号の送受信を行うための信号送受信部材が設けられており、前記信号送受信部材を介してユニット間で信号の送受信を行うことができるようになっていることを特徴とする請求項１乃至４のいずれか一項に記載の貨幣処理機。
【発明の詳細な説明】
【技術分野】
【０００１】
本発明は、貨幣の処理を行う貨幣処理機に関し、とりわけ、貨幣の収納を行う収納部の個数を貨幣処理機の運用形態に応じて容易に変更することができる貨幣処理機に関する。
【背景技術】
【０００２】
従来から、貨幣の入金処理や出金処理を行う貨幣処理機として様々な種類のものが知られている。例えば、特許文献１等には、金融機関等で使用されるＡＴＭ等の紙幣入出金機が開示されている。
【０００３】
特許文献１に開示される紙幣入出金機においては、入金庫、出金庫、リサイクル庫、リジェクト庫、装填回収庫等の複数の収納庫が設けられており、紙幣入出金機の運用形態に応じてこれらの収納庫の個数の増減を行うようになっている。例えば、大量の紙幣の入出金処理が予想される休日にはリサイクル庫を出金庫に置き換えて運用したり、収納庫を入金のみができるようにして紙幣入出金機を入金機として運用したり、あるいは収納庫を出金のみができるようにして紙幣入出金機を出金機として運用したりしている。また、特許文献１には、収納庫の個数を増やす場合には筐体の高さ寸法をより大きくして収納庫を増設したり、収納庫の個数を減らす場合には筐体内における不要部分を空けたままで紙幣入出金機の運用を行ったりすることが開示されている。
【先行技術文献】
【特許文献】
【０００４】
【特許文献１】特許第３５１８２８０号公報
【発明の概要】
【発明が解決しようとする課題】
【０００５】
しかしながら、特許文献１等に示すような従来の貨幣処理機では、収納庫の個数を増減しようとした場合には、紙幣の搬送が行われる搬送路も収納庫に合わせて変更しなければならず、このような搬送路の変更に手間がかかるので、収納庫の個数の増減を容易に行うことができないという問題がある。
【０００６】
本発明は、このような点を考慮してなされたものであり、貨幣の収納を行う収納部の個数を貨幣処理機の運用形態に応じて容易に変更することができる貨幣処理機に関する。
【課題を解決するための手段】
【０００７】
本発明は、貨幣の投入および／または投出を行うための開口が設けられた開口ユニットと、貨幣の搬送を行う搬送部および当該搬送部に設けられ貨幣の識別を行う識別部を有する識別ユニットと、貨幣の収納を行う収納部を各々が有する、１または複数の収納ユニットと、貨幣の搬送を行う搬送部を各々が有する、１または複数の搬送ユニットと、を備え、前記開口ユニット、前記識別ユニット、前記収納ユニットおよび前記搬送ユニットは、各々、他のユニットに対して着脱自在となっており、前記収納ユニットの数および配置状態を自在に設定することができるとともに前記収納ユニットの増設が可能となっており、前記収納ユニットの数および配置状態に応じて前記搬送ユニットの数および配置状態が決められるようになっていることを特徴とする貨幣処理機である。
【０００８】
このような貨幣処理機によれば、貨幣の収納を行う収納部を各々が有する、１または複数の収納ユニットが設けられているとともに、貨幣の搬送を行う搬送部を各々が有する、１または複数の搬送ユニットが設けられており、収納ユニットおよび搬送ユニットは、各々、他のユニットに対して着脱自在となっており、収納ユニットの数および配置状態に応じて搬送ユニットの数および配置状態が決められるようになっているので、貨幣の収納を行う収納部の個数を貨幣処理機の運用形態に応じて容易に変更することができる。
【０００９】
本発明の貨幣処理機においては、前記１または複数の収納ユニットのうち少なくとも１つの収納ユニットは貨幣の搬送を行う搬送部も有しており、当該収納ユニットの搬送部は、他の収納ユニットの搬送部または前記搬送ユニットの搬送部との間で貨幣の受け渡しを行うことができるようになっていてもよい。
【００１０】
本発明の貨幣処理機においては、前記開口ユニット、前記識別ユニット、前記収納ユニットおよび前記搬送ユニットの制御を行う制御部を更に備え、前記制御部は、前記開口ユニットの開口を介して投入された貨幣を前記収納ユニットに収納する入金モード、前記収納ユニットに収納された貨幣を前記開口ユニットの開口を介して投出する出金モード、ならびに前記入金モードおよび前記出金モードの両方を行う入出金モードのうち一のモードを選択して貨幣を処理するよう制御を行うようになっていてもよい。
【００１１】
本発明の貨幣処理機においては、前記開口ユニット、前記識別ユニット、前記収納ユニットおよび前記搬送ユニットには、各々、他のユニットと電気的に接続するための電気的接続部材が設けられており、前記電気的接続部材を介してユニット間の電気的な接続が行われ当該ユニット間で電力の伝達を行うことができるようになっていてもよい。
【００１２】
本発明の貨幣処理機においては、前記開口ユニット、前記識別ユニット、前記収納ユニットおよび前記搬送ユニットには、各々、他のユニットと信号の送受信を行うための信号送受信部材が設けられており、前記信号送受信部材を介してユニット間で信号の送受信を行うことができるようになっていてもよい。
【発明の効果】
【００１３】
本発明の貨幣処理機によれば、貨幣の収納を行う収納部の個数を貨幣処理機の運用形態に応じて容易に変更することができる。
【図面の簡単な説明】
【００１４】
【図１】本発明の一の実施の形態による紙幣処理機に用いられる開口ユニット、識別ユニット、収納ユニット、搬送ユニット等の各ユニットの構成をそれぞれ示す構成図である。
【図２】図１に示す各ユニットを組み合わせることにより形成される入出金両替機の構成を示す構成図である。
【図３】図１に示す各ユニットを組み合わせることにより形成される入金機の構成を示す構成図である。
【図４】図１に示す各ユニットを組み合わせることにより形成される入金機の他の構成を示す構成図である。
【図５】図１に示す各ユニットを組み合わせることにより形成される両替機の構成を示す構成図である。
【図６】図１に示す各ユニットを組み合わせることにより形成される両替機の他の構成を示す構成図である。
【図７】図１に示す各ユニットを組み合わせることにより形成される入出金両替機等における各ユニット間の電力の伝達を示す説明図である。
【図８】図１に示す各ユニットを組み合わせることにより形成される入出金両替機等における各ユニット間の信号の送受信を示す説明図である。
【図９】本実施の形態による紙幣処理機の他の構成を示す構成図である。
【図１０】本発明の実施の形態による紙幣処理機の更に他の構成を示す構成図である。
【図１１】本発明の実施の形態による紙幣処理機の更に他の構成を示す構成図である。
【図１２】本発明の実施の形態による紙幣処理機の更に他の構成を示す構成図である。
【発明を実施するための形態】
【００１５】
以下、図面を参照して本発明の一の実施の形態について説明する。図１乃至図８は、本実施の形態に係る紙幣処理機を示す図である。より詳細には、図１は、本実施の形態による紙幣処理機に用いられる開口ユニット、識別ユニット、収納ユニット、搬送ユニット等の各ユニットの構成をそれぞれ示す構成図であり、図２は、図１に示す各ユニットを組み合わせることにより形成される入出金両替機の構成を示す構成図である。また、図３および図４は、それぞれ、図１に示す各ユニットを組み合わせることにより形成される様々な入金機の構成を示す構成図である。また、図５および図６は、図１に示す各ユニットを組み合わせることにより形成される様々な両替機の構成を示す構成図である。また、図７および図８は、図１に示す各ユニットを組み合わせることにより形成される入出金両替機等における各ユニット間の電力の伝達や信号の送受信を示す説明図である。
【００１６】
まず、図１を用いて、本実施の形態による紙幣処理機に用いられる各ユニットについて説明する。後述するように、これらの各ユニットは他のユニットに対して着脱自在となっている。
【００１７】
図１（ａ）には、入金口１２、出金口１４、および入金リジェクト部１６を有する開口ユニット１０が示されている。入金口１２には繰出機構１２ａが設けられており、入金口１２に集積状態で入金された紙幣は繰出機構１２ａにより１枚ずつ繰り出されるようになっている。また、開口ユニット１０には、紙幣の搬送を１枚ずつ行う搬送部１８が設けられており、出金口１４および入金リジェクト部１６はそれぞれ搬送部１８に接続されている。出金口１４には搬送部１８から紙幣が送られるようになっており、出金口１４に集積された紙幣は開口ユニット１０の外部から取り出し可能となっている。また、出金口１４には繰出機構１４ａが設けられており、搬送部１８から出金口１４に送られた紙幣は繰出機構１４ａにより１枚ずつ搬送部１８に戻すことができるようになっている。出金口１４に繰出機構１４ａが設けられていることにより、この出金口１４は入金一時保留部としても機能することができるようになっている。また、入金リジェクト部１６にはリジェクト紙幣が送られるようになっており、操作者はこの入金リジェクト部１６からリジェクト紙幣を筐体２の外部に取り出すことができるようになっている。
【００１８】
図１（ｂ）には、第１の搬送ユニット２０が示されている。第１の搬送ユニット２０は、紙幣の搬送を１枚ずつ行う搬送部２０ａを有している。この第１の搬送ユニット２０は、開口ユニット１０に主に接続されるようになっており、開口ユニット１０の入金口１２から繰出機構１２ａにより繰り出された紙幣は第１の搬送ユニット２０の搬送部２０ａに送られるようになっている。
【００１９】
図１（ｃ）には、第２の搬送ユニット２２が示されている。第２の搬送ユニット２２は、紙幣の搬送を１枚ずつ行う搬送部２２ａを有している。
【００２０】
図１（ｄ）には、第３の搬送ユニット２４が示されている。第３の搬送ユニット２４は、紙幣の搬送を１枚ずつ行う搬送部２４ａを有している。この第３の搬送ユニット２４は、後述する収納ユニット５０に主に接続されるようになっており、第３の搬送ユニット２４の搬送部２４ａから収納ユニット５０に紙幣が送られるとともに、収納ユニット５０の収納部５２から繰り出された紙幣が第３の搬送ユニット２４の搬送部２４ａに送られるようになっている。
【００２１】
図１（ｅ）には、第４の搬送ユニット２６が示されている。第４の搬送ユニット２６は、紙幣の搬送を１枚ずつ行う搬送部２６ａを有している。この第４の搬送ユニット２６は、後述するリジェクトユニット６０に主に接続されるようになっており、第４の搬送ユニット２６の搬送部２６ａからリジェクトユニット６０に紙幣が送られるようになっている。
【００２２】
図１（ｆ）には、第５の搬送ユニット２８が示されている。第５の搬送ユニット２８は、紙幣の搬送を１枚ずつ行う搬送部２８ａを有している。この第５の搬送ユニット２８は、第１の搬送ユニット２０や第４の搬送ユニット２６に主に接続されるようになっている。
【００２３】
図１（ｇ）には、第６の搬送ユニット３０が示されている。第６の搬送ユニット３０は、紙幣の搬送を１枚ずつ行う搬送部３０ａを有している。
【００２４】
図１（ｈ）には、第７の搬送ユニット３２が示されている。第７の搬送ユニット３２は、紙幣の搬送を１枚ずつ行う搬送部３２ａを有している。
【００２５】
図１（ｉ）には、識別ユニット４０が示されている。識別ユニット４０は、紙幣の搬送を行う搬送部４０ｂと、この搬送部４０ｂに設けられ紙幣の金種、正損、真偽等の識別を行う識別部４０ａとを有している。
【００２６】
図１（ｊ）には、収納ユニット５０が示されている。収納ユニット５０は、紙幣を積層状態で収納する収納部５２と、収納部５２に収納された紙幣を１枚ずつ繰り出すための繰出機構５４とを有している。前述のように、収納ユニット５０は第３の搬送ユニット２４に主に接続されるようになっており、第３の搬送ユニット２４の搬送部２４ａから収納ユニット５０の収納部５２に紙幣が送られるとともに、収納ユニット５０の収納部５２から繰出機構５４により繰り出された紙幣が第３の搬送ユニット２４の搬送部２４ａに送られるようになっている。
【００２７】
図１（ｋ）には、取り忘れ回収ユニット４２が示されている。取り忘れ回収ユニット４２は、紙幣の回収を行うための回収部４２ａを有している。この取り忘れ回収ユニット４２は第２の搬送ユニット２２に主に接続されるようになっており、この第２の搬送ユニット２２の搬送部２２ａから取り忘れ回収ユニット４２に送られた紙幣が回収部４２ａ内部に集積されるようになっている。
【００２８】
図１（ｌ）には、制御ユニット７０が示されている。制御ユニット７０は、紙幣処理機の各構成要素の制御を行うための制御部７２を有している。
【００２９】
図１（ｍ）には、リジェクトユニット６０が示されている。リジェクトユニット６０は、リジェクト紙幣が集積されるリジェクト部６２を有している。前述のように、リジェクトユニット６０は第４の搬送ユニット２６に主に接続されるようになっており、第４の搬送ユニット２６の搬送部２６ａからリジェクトユニット６０のリジェクト部６２に紙幣が送られるようになっている。
【００３０】
次に、図１（ａ）〜（ｍ）に示されるような各ユニットを組み合わせることにより形成される紙幣処理機について説明する。
【００３１】
図２に示すように、図１に示す各ユニットを組み合わせることにより入出金両替機を形成することができる。この入出金両替機は、開口ユニット１０と、各搬送ユニット２０、２２、２４、２６、２８と、識別ユニット４０と、５つの収納ユニット５０と、リジェクトユニット６０と、取り忘れ回収ユニット４２と、制御ユニット７０とを有している。より詳細には、これらの各ユニットは筐体２の内部に配置されるようになっている。また、筐体２には例えばタッチパネルからなる操作表示部４が設けられており、入出金両替機の処理内容、具体的には各収納ユニット５０の収納部５２に収納された紙幣の金種別の金額や枚数、および／または収納された紙幣の合計金額等が操作表示部４に表示されるとともに、操作者は操作表示部４により制御ユニット７０の制御部７２に対して様々な指令を送ることができるようになっている。ここで、収納ユニット５０は５つ設けられているが、リジェクトユニット６０よりも右側にある４つの収納ユニット５０に設けられた各収納部５２は紙幣を金種別に収納する金種別収納部として機能し、リジェクトユニット６０よりも左側にある１つの収納ユニット５０に設けられた収納部５２は紙幣を金種混合状態で収納する金種混合収納部として機能するようになっている。
【００３２】
また、図２に示すような入出金両替機においては、各収納ユニット５０の収納部５２は筐体２の外部から取り出し自在となっており、操作者は収納部５２を筐体２の外部から取り出すことによりこの収納部５２に収納された紙幣の回収を行うことができるようになっている。同様に、リジェクトユニット６０のリジェクト部６２も筐体２の外部から取り出し自在となっており、操作者はリジェクト部６２を筐体２の外部から取り出すことによりこのリジェクト部６２に収納された紙幣の回収を行うことができるようになっている。
【００３３】
図２に示すような入出金両替機では、開口ユニット１０の入金口１２から筐体２内に投入された紙幣を識別ユニット４０の識別部４０ａにより識別し、識別結果に基づいてリジェクトユニット６０よりも右側にある各収納ユニット５０の収納部５２に金種別に収納する入金モード、およびリジェクトユニット６０よりも右側にある各収納ユニット５０の収納部５２に収納された紙幣を開口ユニット１０の出金口１４を介して筐体２の外部に投出する出金モードを選択的に行うことができるようになっている。このような各モードによる紙幣の処理は、制御部７２が各ユニットに対して指令に係る信号を送ることにより行われるようになっている。より具体的に説明すると、制御部７２は、開口ユニット１０の入金口１２を介して投入された紙幣を各収納ユニット５０の収納部５２に収納する入金モード、各収納ユニット５０の収納部５２に収納された紙幣を開口ユニット１０の出金口１４を介して投出する出金モード、ならびに入金モードおよび出金モードの両方を行う入出金モードのうち一のモードを選択して紙幣を処理するよう制御を行うことができるようになっている。
【００３４】
また、このような入出金両替機では、以下に示すような両替処理を行うことができるようになっている。すなわち、開口ユニット１０の入金口１２に紙幣が投入されると、この紙幣が入金口１２から筐体２内に投入されて識別ユニット４０の識別部４０ａにより識別された後、リジェクトユニット６０よりも左側にある収納ユニット５０の収納部５２に金種混合状態で収納され、その後、予め指定された、釣銭として持ち帰る紙幣が、リジェクトユニット６０よりも右側にある各収納ユニット５０の収納部５２から開口ユニット１０の出金口１４に送られるようにすることができる。また、このような入出金両替機では、上述のような入金モードや両替処理において開口ユニット１０の入金口１２から筐体２内に投入された紙幣のうち、識別ユニット４０の識別部４０ａにより識別することができなかった紙幣や、識別部４０ａにより正常な紙幣と識別されなかった紙幣は、開口ユニット１０の入金リジェクト部１６に送られるようになっている。
【００３５】
また、このような入出金両替機では、以下に示すような自動精査処理を行うことができるようになっている。すなわち、自動精査処理においては、リジェクトユニット６０の右側にある各収納ユニット５０の収納部５２（金種別収納部）から第３の搬送ユニット２４の搬送部２４ａに紙幣がそれぞれ繰り出され、この繰り出された紙幣は識別ユニット４０の識別部４０ａにより識別され、その後リジェクトユニット６０の左側にある収納ユニット５０の収納部５２（金種混合収納部）に収納される。そして、リジェクトユニット６０の右側にある各収納ユニット５０の収納部５２に収納された紙幣が全てリジェクトユニット６０の左側にある収納ユニット５０の収納部５２に移された後、リジェクトユニット６０の左側にある収納ユニット５０の収納部５２からリジェクトユニット６０の右側にある各収納ユニット５０の収納部５２に紙幣が戻される。このようにして、リジェクトユニット６０の右側にある各収納ユニット５０の収納部５２（金種別収納部）に収納された紙幣の精査を行うことができる。
【００３６】
また、このような入出金両替機では、上述の出金モードにおいて開口ユニット１０の出金口１４に紙幣が送られた後、一定時間が経過してもこの紙幣が出金口１４から取り出されなかったときに、出金口１４に設けられた繰出機構１４ａにより紙幣を搬送部１８に戻し、この搬送部１８に戻された紙幣を取り忘れ回収ユニット４２の回収部４２ａに送るような、取り忘れ紙幣の取り込み動作を行うことができるようになっている。取り忘れ回収ユニット４２の回収部４２ａは筐体２の外部から取り外し自在となっており、操作者は回収部４２ａに送られた紙幣の回収を行うことができるようになっている。
【００３７】
また、図３に示すように、図１に示す各ユニットを組み合わせることにより入金機を形成することができる。この入金機は、開口ユニット１０と、各搬送ユニット２０、２４、３０と、識別ユニット４０と、２つの収納ユニット５０と、制御ユニット７０とを有している。図３に示すような入金機においては、各収納ユニット５０の収納部５２は筐体２の外部から取り出し自在となっており、操作者は収納部５２を筐体２の外部から取り出すことによりこの収納部５２に収納された紙幣の回収を行うことができるようになっている。
【００３８】
図３に示すような入金機では、開口ユニット１０の入金口１２から筐体２内に投入された紙幣を識別ユニット４０の識別部４０ａにより識別し、識別結果に基づいて各収納ユニット５０の収納部５２に収納する入金モードを行うことができるようになっている。より詳細には、図３に示すような入金機では収納ユニット５０が２つしか設けられていないため、特定の金種の紙幣が一方の収納ユニット５０の収納部５２に収納され、それ以外の金種の紙幣が他方の収納ユニット５０の収納部５２に金種混合状態で収納されるようになっている。
【００３９】
図３に示すような入金機では、収納ユニット５０が２つしか設けられていないが、この収納ユニット５０の数を増減させることもできる。この際に、収納ユニット５０の数および配置状態に応じて搬送ユニットの数および配置状態を決めるようになっている。より詳細には、図４には、図３に示すような入金機から収納ユニット５０を増設してこの収納ユニット５０の数を５個としたような入金機が示されている。図４に示すような入金機では、収納ユニット５０の数を２個から５個に増やしたことに伴い、識別ユニット４０や搬送ユニット２４の数および配置状態を変更している。
【００４０】
また、図５に示すように、図１に示す各ユニットを組み合わせることにより両替機を形成することができる。この両替機は、開口ユニット１０と、各搬送ユニット２０、２２、２４、２６、２８、３２と、識別ユニット４０と、３つの収納ユニット５０と、リジェクトユニット６０と、制御ユニット７０とを有している。ここで、収納ユニット５０は３つ設けられているが、リジェクトユニット６０よりも右側にある２つの収納ユニット５０に設けられた収納部５２は紙幣を金種別に収納する金種別収納部として機能し、リジェクトユニット６０よりも左側にある１つの収納ユニット５０に設けられた収納部５２は紙幣を金種混合状態で収納する金種混合収納部として機能するようになっている。
【００４１】
図５に示すような両替機においては、各収納ユニット５０の収納部５２は筐体２の外部から取り出し自在となっており、操作者は収納部５２を筐体２の外部から取り出すことによりこの収納部５２に収納された紙幣の回収を行うことができるようになっている。同様に、リジェクトユニット６０のリジェクト部６２も筐体２の外部から取り出し自在となっており、操作者はリジェクト部６２を筐体２の外部から取り出すことによりこのリジェクト部６２に収納された紙幣の回収を行うことができるようになっている。
【００４２】
図５に示すような両替機では、以下に示すような両替処理を行うことができるようになっている。すなわち、開口ユニット１０の入金口１２に紙幣が投入されると、この紙幣が入金口１２から筐体２内に投入されて識別ユニット４０の識別部４０ａにより識別された後、リジェクトユニット６０よりも左側にある収納ユニット５０の収納部５２に金種混合状態で収納され、その後、入金された紙幣の金額から商品の金額を差し引いた金額分の紙幣が釣銭としてリジェクトユニット６０よりも右側にある各収納ユニット５０の収納部５２から開口ユニット１０の出金口１４に送られるようにすることができる。また、このような両替機では、入金モードにおいて開口ユニット１０の入金口１２から筐体２内に投入された紙幣のうち、識別ユニット４０の識別部４０ａにより識別することができなかった紙幣や、識別部４０ａにより正常な紙幣と識別されなかった紙幣は、開口ユニット１０の入金リジェクト部１６に送られる。
【００４３】
図５に示すような両替機では金種別収納部として機能する収納部５２を有する収納ユニット５０が２つしか設けられていないため、両替される紙幣の金種は２種類のみとなっている。すなわち、特定の金種の紙幣が一方の収納ユニット５０の収納部５２に収納され、別の特定の金種の紙幣が他方の収納ユニット５０の収納部５２に収納されるようになっている。
【００４４】
このように、図５に示すような両替機では、金種別収納部として機能する収納部５２を有する収納ユニット５０が２つしか設けられていないが、この収納ユニット５０の数を増減することもできる。この際に、収納ユニット５０の数および配置状態に応じて搬送ユニットの数および配置状態を決めるようになっている。より詳細には、図６には、図５に示すような両替機から収納ユニット５０を増設して収納ユニット５０の合計数を５個としたような両替機が示されている。図６に示すような両替機では、金種別収納部として機能する収納部５２を有する収納ユニット５０の数を２個から４個に増やしたことに伴い、両替される紙幣の金種を増やすことができる。また、図６に示すような両替機では、収納ユニット５０の数を増やしたことに伴い、識別ユニット４０や搬送ユニット２４の数および配置状態を変更している。
【００４５】
次に、図１に示す各ユニットを組み合わせることにより形成される入出金両替機等における各ユニット間の電力の伝達について図７を用いて説明する。図７に示すように、筐体２には、当該筐体２の外部から電力ケーブルが接続される電力コネクタ６が設けられており、この電力コネクタ６に接続された電力ケーブルを介して電力が外部から筐体２内に供給されるようになっている。また、図７に示すように、入出金両替機等を構成する各ユニットにはそれぞれ他のユニットと電気的に接続するための電気的接続部材８が設けられており、これらの電気的接続部材８を介してユニット間の電気的な接続が行われ当該ユニット間で電力の伝達を行うことができるようになっている。また、例えば取り忘れ回収ユニット４２と制御ユニット７０との間、および操作表示部４と制御ユニット７０との間でも電力の伝達を例えば電力線を介してそれぞれ行うことができるようになっている。このことにより、各ユニットを組み合わせることにより入出金両替機等を形成した場合でも、各ユニットに電力を供給することができるようになる。
【００４６】
次に、図１に示す各ユニットを組み合わせることにより形成される入出金両替機等における各ユニット間の信号の送受信について図８を用いて説明する。図８に示すように、入出金両替機等を構成する各ユニットにはそれぞれ他のユニットと信号の送受信を行うための信号送受信部材９が設けられており、これらの信号送受信部材９を介してユニット間で信号の送受信を行うことができるようになっている。また、例えば取り忘れ回収ユニット４２と制御ユニット７０との間、および操作表示部４と制御ユニット７０との間でも信号の送受信を例えば信号線を介してそれぞれ行うことができるようになっている。このため、識別ユニット４０の識別部４０ａによる紙幣の識別結果に係る信号を制御ユニット７０の制御部７２に送ることができるとともに、制御部７２から各ユニットに対して様々な指令に係る信号を送ることができるようになる。
【００４７】
以上のように本実施の形態の紙幣処理機によれば、図１に示されるような各ユニットを組み合わせることにより形成されるようになっており、各ユニットは、それぞれ、他のユニットに対して着脱自在となっている。そして、収納ユニット５０の数および配置状態を自在に設定することができるとともに収納ユニット５０の増設が可能となっており、収納ユニット５０の数および配置状態に応じて搬送ユニット２０〜３２の数および配置状態が決められるようになっている。このような紙幣処理機によれば、収納ユニット５０の数および配置状態に応じて搬送ユニット２０〜３２の数および配置状態が決められるようになっているので、紙幣の収納を行う収納部５２の個数を紙幣処理機の運用形態に応じて容易に変更することができる。
【００４８】
なお、本実施の形態による紙幣処理機は、上記の態様に限定されるものではなく、様々な変更を加えることができる。
【００４９】
例えば、紙幣を収納する収納部を有する収納ユニットとして、図１（ｊ）に示すようなものを用いる代わりに、他の構成の収納ユニットを用いることもできる。具体的には、収納ユニットとして、紙幣の収納を行う収納部に加えて、紙幣の搬送を行う搬送部が設けられたものを用いてもよい。
【００５０】
図９は、本実施の形態による紙幣処理機の他の構成を示す構成図である。より詳細には、図９は、図４に示される入金機に類似する構成を有するものであるが、第３の搬送ユニット２４および収納ユニット５０の代わりに、収納ユニット８０が筐体２内に組み込まれている。この収納ユニット８０は、紙幣を積層状態で収納する収納部８２と、収納部８２に収納された紙幣を１枚ずつ繰り出すための繰出機構８４と、紙幣の搬送を１枚ずつ行う搬送部８６とを有している。このような収納ユニット８０おいては、搬送部８６から収納部８２に紙幣が送られるとともに、収納部８２から繰出機構８４により繰り出された紙幣が搬送部８６に送られるようになっている。
【００５１】
このように、本実施の形態の紙幣処理機においては、各収納ユニット８０は紙幣の収納を行う収納部８２に加えて紙幣の搬送を行う搬送部８６も有しており、当該収納ユニット８０の搬送部８６は、他の収納ユニット８０の搬送部８６または搬送ユニットの搬送部（例えば、第６の搬送ユニット３０の搬送部３０ａ）等との間で紙幣の受け渡しを行うことができるようになっていてもよい。
【００５２】
また、本実施の形態の紙幣処理機として、図１乃至図９に示すようなものを用いる代わりに、図１０乃至図１２に示すようなものを用いてもよい。
【００５３】
図１０乃至図１２に示すような紙幣処理機も、図１乃至図９に示すような紙幣処理機と同様に、開口ユニット１１０、識別ユニット１４０、収納ユニット１５０、１６０、１７０、搬送ユニット１２０、１２２、１２４、制御ユニット１８０を組み合わせることにより形成されるものである。ここで、これらのユニットは他のユニットに対して着脱自在となっている。
【００５４】
開口ユニット１１０は、入金口１１２および出金口１１４を有している。入金口１１２には繰出機構１１２ａが設けられており、入金口１１２に集積状態で入金された紙幣は繰出機構１１２ａにより１枚ずつ繰り出されるようになっている。
【００５５】
第１の搬送ユニット１２０は、紙幣の搬送を１枚ずつ行う搬送部１２０ａを有している。この第１の搬送ユニット１２０は、開口ユニット１１０に主に接続されるようになっており、開口ユニット１１０の入金口１１２から繰出機構１１２ａにより繰り出された紙幣は第１の搬送ユニット１２０の搬送部１２０ａに送られるようになっている。
【００５６】
第２の搬送ユニット１２２は、紙幣の搬送を１枚ずつ行う搬送部１２２ａを有している。この第２の搬送ユニット１２２は、第１の搬送ユニット１２０の下部に主に設けられるようになっており、第２の搬送ユニット１２２の搬送部１２２ａと第１の搬送ユニット１２０の搬送部１２０ａとの間で紙幣の受け渡しが行われるようになっている。この第２の搬送ユニット１２２は、後述する収納ユニット１６０が用いられるときに使用されるようになっている。
【００５７】
第３の搬送ユニット１２４は、紙幣の搬送を１枚ずつ行う搬送部１２４ａを有している。この第３の搬送ユニット１２４は、第１の搬送ユニット１２０の下部に主に設けられるようになっており、第３の搬送ユニット１２４の搬送部１２４ａと第１の搬送ユニット１２０の搬送部１２０ａとの間で紙幣の受け渡しが行われるようになっている。この第３の搬送ユニット１２４は、後述する収納ユニット１７０が用いられるときに使用されるようになっている。
【００５８】
識別ユニット１４０は、紙幣の搬送を行う搬送部１４０ｂと、この搬送部１４０ｂに設けられ紙幣の金種、正損、真偽等の識別を行う識別部１４０ａとを有している。
【００５９】
収納ユニット１５０は、紙幣を積層状態で収納する収納部１５２と、収納部１５２に収納された紙幣を１枚ずつ繰り出すための繰出機構１５４とを有している。この収納ユニット１５０は第１の搬送ユニット１２０の下方に主に設けられるようになっており、第１の搬送ユニット１２０の搬送部１２０ａから収納ユニット１５０の収納部１５２に紙幣が送られるとともに、収納ユニット１５０の収納部１５２から繰出機構１５４により繰り出された紙幣が第１の搬送ユニット１２０の搬送部１２０ａに送られるようになっている。
【００６０】
収納ユニット１６０は、紙幣の収納を行う収納部が上下二段に分割されたものである。より詳細には、収納ユニット１６０は、紙幣を積層状態で収納する上下二段の収納部１６２ａ、１６２ｂと、各収納部１６２ａ、１６２ｂに収納された紙幣をそれぞれ１枚ずつ繰り出すための繰出機構１６４ａ、１６４ｂとを有している。
【００６１】
収納ユニット１７０は、テープ巻き取り式の収納部１７２を有している。より具体的には、収納部１７２は、正逆両方向に回転可能なドラムを有しており、このドラムに一対のテープが巻き取られるようになっている。そして、例えば第３の搬送ユニット１２４の搬送部１２４ａから収納ユニット１７０の収納部１７２に送られた紙幣は、この一対のテープの間に挟まれた状態で１枚ずつ順次ドラムにより巻き取られて収納されるようになっている。また、ドラムを逆転させると、巻き取られた紙幣が１枚ずつ繰り出されて、収納ユニット１７０の収納部１７２に送られるようになっている。
【００６２】
制御ユニット１８０は、紙幣処理機の各構成要素の制御を行うための制御部１８２を有している。
【００６３】
ここで、開口ユニット１１０、第１の搬送ユニット１２０、第２の搬送ユニット１２２、識別ユニット１４０、４つの収納ユニット１５０、収納ユニット１６０および制御ユニット１８０を組み合わせることにより、図１０に示すような紙幣処理機が形成される。このような紙幣処理機では、例えば、４つの収納ユニット１５０に設けられた収納部１５２を、紙幣を金種別に収納する金種別収納部として機能させ、収納ユニット１６０に設けられた上下二段の収納部１６２ａ、１６２ｂを、それぞれ紙幣を金種混合状態で収納する金種混合収納部として機能させることができる。
【００６４】
また、図１０に示す紙幣処理機において、収納部の数がそれほど必要でない場合には、図１１に示すように、図１０に示す紙幣処理機から収納ユニット１６０を取り外すとともに収納ユニット１５０の数を４個から３個に減らすことができる。この場合、第２の搬送ユニット１２２も取り外されることとなる。
【００６５】
また、図１０に示す紙幣処理機において、紙幣処理機における収納部の数をより増やしたい場合には、図１２に示すように、収納ユニット１５０、１６０の代わりに８個の収納ユニット１７０を設けてもよい。この場合、第２の搬送ユニット１２２が取り外されるとともに、第３の搬送ユニット１２４が取り付けられることとなる。
【００６６】
以上のように図１０乃至図１２に示すような紙幣処理機では、開口ユニット１１０、識別ユニット１４０、収納ユニット１５０、１６０、１７０、搬送ユニット１２０、１２２、１２４、制御ユニット１８０を組み合わせることにより形成されるようになっており、各ユニットは、それぞれ、他のユニットに対して着脱自在となっている。そして、収納ユニット１５０、１６０、１７０の数および配置状態を自在に設定することができるとともに収納ユニット１５０、１６０、１７０の増設が可能となっており、収納ユニット１５０、１６０、１７０の数および配置状態に応じて搬送ユニット１２０、１２２、１２４の配置状態が決められるようになっている。このような紙幣処理機によれば、収納ユニット１５０、１６０、１７０の数および配置状態に応じて搬送ユニット１２０、１２２、１２４の配置状態が決められるようになっているので、紙幣の収納を行う収納部１５２、１６２ａ、１６２ｂ、１７２の個数を紙幣処理機の運用形態に応じて容易に変更することができる。
【００６７】
また、本発明による貨幣処理機は、紙幣の処理を行う紙幣処理機に限定されることはない。本発明による貨幣処理機として、硬貨の処理を行う硬貨処理機が用いられるようになっていてもよい。この場合、本発明による貨幣処理機としての硬貨処理機は、硬貨の投入および／または投出を行うための開口が設けられた開口ユニットと、硬貨の搬送を行う搬送部および当該搬送部に設けられ硬貨の識別を行う識別部を有する識別ユニットと、硬貨の収納を行う収納部を有する収納ユニットと、硬貨の搬送を行う搬送部を有する搬送ユニットとを組み合わせることにより形成されるものとなる。ここで、このような硬貨処理機における上述した開口ユニット、識別ユニット、収納ユニットおよび搬送ユニットは、各々、他のユニットに対して着脱自在となっている。また、このような硬貨処理機において、収納ユニットの数および配置状態を自在に設定することができるとともに収納ユニットの増設が可能となっており、収納ユニットの数および配置状態に応じて搬送ユニットの数および配置状態が決められるようになっている。
【符号の説明】
【００６８】
２    筐体
４    操作表示部
６    電力コネクタ
８    電気的接続部材
９    信号送受信部材
１０  開口ユニット
１２  入金口
１２ａ  繰出機構
１４  出金口
１４ａ  繰出機構
１６  入金リジェクト部
１８  搬送部
２０  第１の搬送ユニット
２０ａ  搬送部
２２  第２の搬送ユニット
２２ａ  搬送部
２４  第３の搬送ユニット
２４ａ  搬送部
２６  第４の搬送ユニット
２６ａ  搬送部
２８  第５の搬送ユニット
２８ａ  搬送部
３０  第６の搬送ユニット
３０ａ  搬送部
３２  第７の搬送ユニット
３２ａ  搬送部
４０  識別ユニット
４０ａ  識別部
４０ｂ  搬送部
４２  取り忘れ回収ユニット
４２ａ  回収部
５０  収納ユニット
５２  収納部
５４  繰出機構
６０  リジェクトユニット
６２  リジェクト部
７０  制御ユニット
７２  制御部
８０  収納ユニット
８２  収納部
８４  繰出機構
８６  搬送部
１１０  開口ユニット
１１２  入金口
１１２ａ  繰出機構
１１４  出金口
１２０  第１の搬送ユニット
１２０ａ  搬送部
１２２  第２の搬送ユニット
１２２ａ  搬送部
１２４  第３の搬送ユニット
１２４ａ  搬送部
１４０  識別ユニット
１４０ａ  識別部
１４０ｂ  搬送部
１５０  収納ユニット
１５２  収納部
１５４  繰出機構
１６０  収納ユニット
１６２ａ、１６２ｂ  収納部
１６４ａ、１６４ｂ  繰出機構
１７０  収納ユニット
１７２  収納部
１８０  制御ユニット
１８２  制御部
【図１】
2011186748.tif 000003
【図２】
2011186748.tif 000004
【図３】
2011186748.tif 000005
【図４】
2011186748.tif 000006
【図５】
2011186748.tif 000007
【図６】
2011186748.tif 000008
【図７】
2011186748.tif 000009
【図８】
2011186748.tif 000010
【図９】
2011186748.tif 000011
【図１０】
2011186748.tif 000012
【図１１】
2011186748.tif 000013
【図１２】
2011186748.tif 000014